(57)【特許請求の範囲】
【請求項１】
表示部の画面に表示された複数のファイルのうち所望のファイルを選択し決定すると、前記所望のファイルがメールに添付、あるいはメールから削除される移動体通信端末において、
前記複数のファイルのうちから所望のファイルを選択して、メールに添付あるいはメールから削除を決定する前の時点で、
既に使用されている容量のサイズに前記選択された所望のファイルのサイズを加えて、あるいは既に使用されている容量のサイズから前記選択された所望のファイルのサイズを削除して使用容量を求め、
送信可能容量に対する前記使用容量および空き容量がゲージで表示部の画面に表示されることを特徴とする移動体通信端末。
【請求項２】
表示部の画面に表示された複数のデータのうち所望のデータを選択し決定すると、前記所望のデータがメモリに記憶される、あるいはメモリから消去される移動体通信端末において、
前記複数のデータのうちから所望のデータを選択して、メモリに記憶あるいはメモリから消去を決定する前の時点で、
既に使用されている容量のサイズに前記選択された所望のデータのサイズを加えて、あるいは既に使用されている容量のサイズから前記選択された所望のデータのサイズを削除してメモリ使用容量を求め、
全メモリ容量に対する前記メモリ使用容量および空き容量がゲージで表示部の画面に表示されることを特徴とする移動体通信端末。
【請求項３】
前記ゲージは棒グラフ状のゲージであることを特徴とする請求項１または２に記載の移動体通信端末。
【請求項４】
使用容量が送信可能容量あるいは全メモリ容量を超えると、前記ゲージの色が変化もしくはゲージが点滅することを特徴とする請求項１ないし３のいずれかに記載の移動体通信端末。
【発明の詳細な説明】
【０００１】
【発明の属する技術分野】
本発明は、メールにファイルを添付して送信することができるような移動体通信端末に関する。
【０００２】
【従来の技術】
現在、移動体通信端末間のメールには、文章以外に「メロディ」や「画像」などのファイルを添付することができる。これらをメールで受け取ると、添付されてきた「メロディ」を聴きながら文章をよんだり、このメロディを自らの着信音に登録したり、受け取った「画像」を待ち受け画面用に登録したりすることができる。メールには、ファイルを複数添付することができるが、添付可能容量には制限があり、あまり多くは添付できない。
【０００３】
【発明が解決しようとする課題】
ファイルは、複数のファイルが表示された表示部の画面で所望のファイルを選択し、“決定”の操作をすることにより所望のファイルをメールに添付することができる。このとき、従来は、“決定”の操作を行ってファイルをメールに添付した後でなければファイルのサイズが分からなかった。したがって、ファイルを添付したとき、ファィルのサイズが大きすぎてメール全体のサイズが送信可能容量を超えてしまい、ファイルをメールに添付することができない場合が発生した。その場合、ファイルを変更して、ファイル添付を、ファイル選択からやり直さなければならなかった。また、複数のファイルを添付する場合、全てのファイルを選択し、決定してからファイルの合計サイズが分かるので、１件ずつのファイルがどの程度のサイズなのか分からなかった。
【０００４】
また、ファイルのサイズを知る他の方法として、パソコンの各種ファイルのプロパティと同様に、ファイルのプロパティを開く方法があるが、この方法では数値で「△△ＫＢ」とファイルサイズが表示されるので、一目見ただけではファイルサイズを把握することが難しかった。また、ファイルを１件追加、あるいは削除する毎の合計サイズの増減が一目で分からなかった。
【０００５】
本発明は上記の点に鑑みなされたもので、ファイル添付を行うときに添付（決定）した後でなくファイルを選択した時点で、現在選択されているファイルが添付可能であるかということと、このファイルを添付することで使用容量がどの程度増えるのかということを一目で、しかもファイル１件ずつについて知ることができる
移動体通信端末を提供することを目的とする。
【０００６】
さらに、本発明は、ファイル削除を行うときに削除（決定）した後でなくファイルを選択した時点で、現在選択されているファイルが削除されるとどの程度空き容量ができるかということを一目で、しかもファイル１件ずつについて知ることができる移動体通信端末を提供することを目的とする。
【０００７】
さらに、本発明は、ファイルに代えてデータをメモリに記憶するときに記憶（決定）した後でなくデータを選択した時点で、現在選択されているデータが記憶可能であるかということと、このデータを記憶することでメモリ使用容量がどの程度増えるのかということを一目で、しかもデータ１件ずつ知ることができる移動体通信端末を提供することを目的とする。
【０００８】
さらに、本発明は、ファイルに代えてデータをメモリから消去するときに消去（決定）した後でなくデータを選択した時点で、現在選択されているデータが消去されるとどの程度空き容量ができるかということを一目で、しかもデータ１件ずつ知ることができる移動体通信端末を提供することを目的とする。
【０００９】
【課題を解決するための手段】
本発明の第１の移動体通信端末は、表示部の画面に表示された複数のファイルのうち所望のファイルを選択し決定すると、前記所望のファイルがメールに添付、あるいはメールから削除される移動体通信端末において、前記複数のファイルのうちから所望のファイルを選択して、メールに添付あるいはメールから削除を決定する前の時点で、既に使用されている容量のサイズに前記選択された所望のファイルのサイズを加えて、あるいは既に使用されている容量のサイズから前記選択された所望のファイルのサイズを削除して使用容量を求め、送信可能容量に対する前記使用容量および空き容量がゲージで表示部の画面に表示されることを特徴とする。
【００１０】
本発明の第２の移動体通信端末は、表示部の画面に表示された複数のデータのうち所望のデータを選択し決定すると、前記所望のデータがメモリに記憶される、あるいはメモリから消去される移動体通信端末において、前記複数のデータのうちから所望のデータを選択して、メモリに記憶あるいはメモリから消去を決定する前の時点で、既に使用されている容量のサイズに前記選択された所望のデータのサイズを加えて、あるいは既に使用されている容量のサイズから前記選択された所望のデータのサイズを削除してメモリ使用容量を求め、全メモリ容量に対する前記メモリ使用容量および空き容量がゲージで表示部の画面に表示されることを特徴とする。
【００１１】
上記の移動体通信端末において、ゲージは棒グラフ状のゲージであることが好ましい。さらに、使用容量が送信可能容量あるいは全メモリ容量を超えると、ゲージの色が変化もしくはゲージが点滅することが好ましい。
【００１２】
【発明の実施の形態】
次に添付図面を参照して本発明による移動体通信端末の実施の形態を詳細に説明する。図４は本発明の移動体通信端末の実施の形態を示すブロック図である。この図において、アンテナが接続される送受信回路部１１は、移動体通信端末における送受信処理を、ＣＰＵを内臓した制御部１２に制御されることにより行う回路である。すなわち、送受信回路部１１は音声メッセージやファイル添付のメールまたは制御信号等を高周波により変調してアンテナより送出したり、アンテナより受信した音声メッセージやファイル添付のメールまたは制御信号等を復調して制御部１２に出力する。
【００１３】
制御部１２は、フラッシュメモリ１３に記憶されたプログラムに従って、キー操作部１７および送受信回路部１１からの制御信号により動作し、送受信回路部１１、ＬＣＤドライバ１５および音声処理部１８を制御する。また、制御部１２はＲＡＭ１４に接続され、ＲＡＭ１４をフラッシュメモリ１３に記憶されたプログラムを実行するときのワークエリアとして使用する。ＲＡＭ１４には、文字入力の際の辞書機能の１つである学習機能データも記憶される。フラッシュメモリ１３は、送信・受信のメールや文字パターン（英、数字も含む）／アイコン（図形）などのフォント情報を記憶し、さらに電話帳メモリとしても使用されて、複数の電話番号および氏名等を記憶する。さらに、フラッシュメモリ１３には、メロディや画像などの各種のファイルが記憶される。
【００１４】
ＬＣＤドライバ１５は制御部１２の制御に従ってＬＣＤ表示部１６を駆動してこれの表示を行う。すなわち、ＬＣＤドライバ１５は、制御部１２からの制御信号に対応する文字パターン（英、数字も含む）やアイコン（図形）パターンをフラッシュメモリ１３から読み出し、ＬＣＤ表示部１６に表示する。音声処理部１８は、スピーカ１９およびマイク２０に接続され、制御部１２から入力した音声信号を増幅してスピーカ１９で出力したり、マイク２０で入力した音声信号を増幅して制御部１２に出力する処理を行う。
【００１５】
上記のように構成された移動体通信端末においては、メールにファイルを添付して送信することができる。そのとき、ファイルは、複数のファイルが表示された表示部１６の画面で所望のファイルを選択し、さらに“決定”の操作をすることにより所望のファイルをメールに添付できる。図１は、表示部１６の画面を示し、複数のファイルの中から所望のファイルを選択し、さらに“決定”して所望のファイルをメールに添付する様子を示す図である。図１では、ファイルとして、「着メロ１」、「壁紙１」、「壁紙２」、「夜想曲」、「鎮魂歌」、「着メロ２」の６つが表示されている。この６つのうち所望のファイルにカーソル（網掛け）を合わせて選択する。そして、このようにして所望のファイルを選択した後、決定キーを押下して“決定”の操作を行うと、選択された所望のファイルの左側に○印が付されて、選択したファイルで添付ファイルが決定し、選択ファイルがメールに添付される。したがって、網掛けと○印の状態から、図１（ａ）は「着メロ１」のファイルを選択した状態、図１（ｂ）は「着メロ１」のファイルを選択し、さらに決定（添付）した状態、図１（ｃ）は「着メロ１」のファイルを決定（添付）し、さらに「壁紙１」のファイルを選択した状態、図１（ｄ）は「着メロ１」、「壁紙１」、「壁紙２」、「夜想曲」のファイルを決定（添付）し、さらに「鎮魂歌」のファイルを選択した状態を示す。
【００１６】
図１の表示部１６の画面には、下部に棒グラフ状のゲージ３１が表示される。このゲージ３１の全長は、メールの送信可能容量に対応する。
【００１７】
本発明では、選択された所望のファイルをメールに添付しなくても、所望のファイルを選択しただけで、その所望のファイルを含んで、送信可能容量に対する使用容量、空き容量が前記ゲージ３１に表示される。ゲージ３１は黒部分３２が使用容量、白部分３３が空き容量を示し、この黒部分３２と白部分３３が使用容量の程度に応じて（空き容量の程度ともいえる）反比例的にゲージ３１の全長の範囲内で伸縮する。
【００１８】
本発明では、上記のように所望のファイルを選択しただけで、その所望のファイルを含んで、送信可能容量に対する使用容量、空き容量がゲージ３１に表示されるから、図１（ａ）では「着メロ１」のファイルが選択されただけであるが、
既に設定されているメールのサイズ（宛先、本文、件名等）
＋ファイル（着メロ１）のサイズ
の合計が使用容量（黒部分３２）としてゲージ３１に表示される。
【００１９】
図１（ｂ）は、「着メロ１」のファイルが選択された後、決定（添付）された状態であり、ゲージ３１の表示は図１（ａ）と同一である。
【００２０】
図１（ｃ）は、「着メロ１」のファイルが決定（添付）され、「壁紙１」のファイルは選択されただけであるが、
既に設定されているメールのサイズ（宛先、本文、件名等）
＋ファイル（着メロ１）のサイズ
＋ファイル（壁紙１）のサイズ
の合計が使用容量（黒部分３２）としてゲージ３１に表示される。ここで、黒部分３２（使用容量）は、図１（ａ），（ｂ）と同一のＬ１にＬ２を加えた長さであるが、このＬ２が図１（ｃ）で加わった「壁紙１」のファイルのサイズであることが分かる。したがって、ファイルのサイズを１件ずつ知ることができる。
【００２１】
図１（ｄ）は、「着メロ１」、「壁紙１」、「壁紙２」、「夜想曲」のファイルが決定（添付）され、「鎮魂歌」のファイルは選択されただけであるが、
既に設定されているメールのサイズ（宛先、本文、件名等）
＋ファイル（着メロ１）のサイズ
＋ファイル（壁紙１）のサイズ
＋ファイル（壁紙２）のサイズ
＋ファイル（夜想曲）のサイズ
＋ファイル（鎮魂歌）のサイズ
の合計が使用容量（黒部分３２）としてゲージ３１に表示される。ただし、この場合は、「鎮魂歌」のファイルのサイズが加わった結果、使用容量（黒部分３２）は送信可能容量（ゲージ３１の全長）を超えてしまった。すると、ゲージ３１の色は図２（ａ），（ｂ）に示すように黒から赤（他の色または点滅でもよい）に変化し、使用容量が送信可能容量を超えたことが使用者に知らせられる。
【００２２】
そして、上記のようなゲージ表示によれば、ファイル添付を行うときに添付（決定）した後でなくファイルを選択した時点で、現在選択されているファイルが添付可能であるかということと、このファイルを添付することで使用容量がどの程度増えるのかということを一目で、しかもファイル１件ずつ知ることができる。
【００２３】
上記の表示動作はファイル添付のときであるが、ファイルを削除する場合にも選択しただけでどの程度、送信可能容量中に空き容量ができるのかを知ることができる。図３はゲージ３１中に空き容量が全くない状態からのファイル削除操作の例を示す。
【００２４】
図３（ａ）は「着メロ１」のファイルを選択した状態、図３（ｂ）は「着メロ１」のファイルを選択し、さらに決定（削除）（×印で示される）した状態、図３（ｃ）は「着メロ１」、「壁紙１」、「壁紙２」、「夜想曲」、「鎮魂歌」のファイルを決定（削除）し、さらに「着メロ２」を選択した状態である。
【００２５】
図３（ａ）は「着メロ１」のファイルが選択されただけであるが、このファイルを削除することで空く容量が空き容量３３ａとしてゲージ３１に表示される。
【００２６】
図３（ｂ）は、「着メロ１」のファイルが選択された後、決定（削除）された状態であり、ゲージ３１の空き容量３３ａの表示は図３（ａ）と同一である。
図３（ｃ）は、「着メロ１」、「壁紙１」、「壁紙２」、「夜想曲」、「鎮魂歌」のファイルが決定（削除）され、「着メロ２」のファイルは選択されただけであるが、
既に削除することを決定したファイル
＋ファイル（着メロ２）を削除して空く容量
がゲージ３１に空き容量３３ｂとして表示され、全てのファイルの削除を決定したのと同じ状態で表示される。
【００２７】
そして、ファイル削除のときも、削除（決定）した後でなくファイルを選択した時点で、現在選択されているファイルが削除されるとどの程度空き容量ができるかということを一目で、しかもファイル１件ずつ知ることができる。
【００２８】
上記の例はファイルを添付あるいは削除する場合であるが、限りある容量のメモリに様々なデータを記憶していくとき、あるいはメモリからデータを消去するときにも本発明は利用可能である。すなわち、表示部の画面に表示された複数のデータのうち所望のデータを選択し決定すると、前記所望のデータがメモリに記憶される、あるいはメモリから消去される移動体通信端末において、前記所望のデータを選択した時点で前記所望のデータを含んで全メモリ容量に対するメモリ使用容量および空き容量がゲージで表示部の画面に表示されるようにする。このデータ記憶・消去時の詳細な動作は、図１および図３の動作においてファイルをデータ、添付を記憶、削除を消去、送信可能容量を全メモリ容量と読み替えることにより容易に理解できるから、詳細な説明は省略する。
【００２９】
そして、上記のようにデータの記憶・消去に本発明を適用した場合は、データをメモリに記憶するとき、記憶（決定）した後でなくデータを選択した時点で、現在選択されているデータが記憶可能であるかということと、このデータを記憶することでメモリ使用容量がどの程度増えるのかということを一目で、しかもデータ１件ずつ知ることができるという利点がある。さらに、データをメモリから消去するときに消去（決定）した後でなくデータを選択した時点で、現在選択されているデータが消去されるとどの程度空き容量ができるかということを一目で、しかもデータ１件ずつ知ることができるという利点がある。
【００３０】
【発明の効果】
以上詳細に説明したように本発明の移動体通信端末によれば、決定した後でなくファイルまたはデータを選択した時点で、現在選択されているファイルまたはデータが添付または記憶可能であるかということと、このファイルまたはデータを添付・削除・記憶・消去すると使用容量または空き容量がどの程度変化するかということを一目で、しかもファイルまたはデータ１件ずつ知ることができる。
【図面の簡単な説明】
【図１】本発明の実施の形態の第１の動作を説明するための図。
【図２】第１動作において、ゲージの色が変化する様子を示す図。
【図３】本発明の実施の形態の第2の動作を説明するための図。
【図４】本発明による移動体通信端末の実施の形態を示すブロック図。
【符号の説明】
１６  ＬＣＤ表示部
３１  ゲージ
３２  黒部分（使用容量）
３３  白部分（空き容量）
３３ａ，３３ｂ  空き容量
【図１】
0003887527.tif 000002
【図２】
0003887527.tif 000003
【図３】
0003887527.tif 000004
【図４】
0003887527.tif 000005